(57)【要約】【課題】ベース部材の外縁から延出される部分の長さを不具合なく調整できるワイヤハーネス配索体、ワイヤハーネス配索ユニット、及び、ワイヤハーネス配索ユニットの組付方法を提供する。【解決手段】ワイヤハーネス配索体５は、車内の天井面に取り付けられる内装パネル１０に配索される。ワイヤハーネス配索体５は、内装パネル１０の外縁１１ｂから延出される先端部分２２と先端部分２２に連なり内装パネル１０に取り付けられる基端部分２３とを備えるワイヤハーネス２０と、先端部分２２をその弛みを解消する方向に移動可能なように、基端部分２３の一端部２３ａを内装パネル１０に保持する第１取付部材３０と、基端部分２３の他端部２３ｂを内装パネル１０に固定する第２取付部材４０と、を有している。そして、基端部分２３の第１取付部材３０と第２取付部材４０との間には、所定の長さの余長部分２４が設けられる。【選択図】図１
2010273477.tif 000002
【特許請求の範囲】
【請求項１】
車体に取り付けられる板状のベース部材に配索されるワイヤハーネス配索体において、
前記ベース部材の外縁から延出される先端部分と前記先端部分に連なり前記ベース部材に取り付けられる基端部分とを備えるワイヤハーネスと、
前記先端部分をその弛みを解消する方向に移動可能なように、前記基端部分の前記先端部分寄りの一端部を前記ベース部材に保持する第１取付部材と、
前記基端部分の前記一端部とは反対側の他端部を前記ベース部材に固定する第２取付部材と、を有し、そして、
前記基端部分の前記第１取付部材と前記第２取付部材との間には、所定の長さの余長部分が設けられる
ことを特徴とするワイヤハーネス配索体。
【請求項２】
前記第１取付部材が、前記ベース部材に固定されるとともに、内側に前記基端部分の一端部を挿通するように形成されたコルゲートチューブを備えていることを特徴とする請求項１に記載のワイヤハーネス配索体。
【請求項３】
前記コルゲートチューブの内径が、前記基端部分の一端部の外径と同一又は略同一にされていることを特徴とする請求項２に記載のワイヤハーネス配索体。
【請求項４】
前記コルゲートチューブが、内側に前記基端部分の一端部と前記先端部分の一部又は全部とを挿通するように形成されるとともに、前記先端部分寄りの一方の端部が前記ベース部材の外縁から延出されることを特徴とする請求項２又は３に記載のワイヤハーネス配索体。
【請求項５】
前記余長部分には、該余長部分の一部を折り曲げて束ねた結束部が設けられ、そして、
前記第１取付部材及び前記第２取付部材は、前記基端部分の一端部の軸と前記基端部分の他端部の軸とが互いに異なる方向を向くようにして、それぞれ前記ベース部材に配置されることを特徴とする請求項１〜４のいずれか一項に記載のワイヤハーネス配索体。
【請求項６】
車体に取り付けられる板状のベース部材と、前記ベース部材に配索されるワイヤハーネス配索体と、を有するワイヤハーネス配索ユニットにおいて、
前記ワイヤハーネス配索体として、請求項１〜５のいずれか一項に記載のワイヤハーネス配索体を有していることを特徴とするワイヤハーネス配索ユニット。
【請求項７】
（ａ）車体に取り付けられる板状のベース部材と、
（ｂ）前記ベース部材の外縁から延出される先端部分と前記先端部分に連なり前記ベース部材に取り付けられる基端部分とを備えるワイヤハーネスと、前記先端部分をその弛みを解消する方向に移動可能なように、前記基端部分の前記先端部分寄りの一端部を前記ベース部材に保持する第１取付部材と、前記基端部分の前記一端部とは反対側の他端部を前記ベース部材に固定する第２取付部材と、を有し、前記基端部分の前記第１取付部材と前記第２取付部材との間には、所定の長さの余長部分が設けられるワイヤハーネス配索体と、
を有するワイヤハーネス配索ユニットの組付方法であって、
前記先端部分を前記ベース部材の外縁から引き出す方向に移動させて、前記余長部分を前記先端部分として引き出す第１工程と、
前記先端部分を外部の電装品に接続する第２工程と、
前記ベース部材を前記天井面に取り付ける第３工程と、
前記先端部分を前記ベース部材の外縁に向けて押し込む方向に移動させて、前記先端部分の長さを調整する第４工程と、を順次有する
ことを特徴とするワイヤハーネス配索ユニットの組付方法。
【発明の詳細な説明】
【技術分野】
【０００１】
本発明は、車内の天井面に取り付けられる内装パネルなど、車体に取り付けられる板状のベース部材に配索されるワイヤハーネス配索体、該ワイヤハーネス配索体とベース部材とを有するワイヤハーネス配索ユニット、及び、該ワイヤハーネス配索ユニットの組付方法に関する。特に、ベース部材の外縁から延出されて外部の電装品と接続されるワイヤハーネスを有するワイヤハーネス配索体、ワイヤハーネス配索ユニット、及び、ワイヤハーネス配索ユニットの組付方法に関する。
【背景技術】
【０００２】
自動車には、カーナビゲーションシステムやオーディオ機器、各種ランプ類などの多種多様な電装品が搭載されている。これら電装品は、車内に配索されたワイヤハーネスを介して、バッテリーなどの電源から電力が供給されたり、電子制御ユニット等との間で制御情報を送受信したりする。ワイヤハーネスは、複数の電線が束ねられて構成されている。
【０００３】
従来、このようなワイヤハーネスは、車両の組立工程において、車体に直接取り付けられて配索されていたので、ワイヤハーネスを取り付けるときに、該ワイヤハーネスを所定の配索箇所に沿って配置したのち、テープやブラケットなどにより複数箇所を固定する必要があり、そのため、作業性が悪く、取り付けに長時間を要して、作業コストを押し上げてしまっていた。また、特に、車内の天井面へのワイヤハーネスの取り付けは、組立作業者が上向きの姿勢を強いられるので、より作業性が悪かった。
【０００４】
そこで、例えば、車内の天井面に取り付けられる内装パネルなどのベース部材に予めワイヤハーネスを配索したワイヤハーネス配索ユニットを、別工程で組み立てて、このワイヤハーネス配索ユニットによって、ベース部材の取り付けと同時にワイヤハーネスを取り付けることで、車両の組立工程における作業性を向上させて、作業コストを抑えていた。
【０００５】
このようなワイヤハーネス配索ユニットの一例として、図６に示すワイヤハーネス配索ユニット（図中、符号６０１で示す）は、ベース部材としてのトップシール６１０と、ワイヤハーネス６２０と、取付部材としてのテープ６３０、６４０と、を有している。トップシール６１０は、車内の天井面に取り付けられる。ワイヤハーネス６２０は、先端部分６２２と基端部分６２３とからなる支線６２１と、図示しない幹線と、を備えている。支線６２１は、その先端に外部の電装品と接続されるコネクタ６２６が設けられている。先端部分６２２は、トップシール６１０の外縁６１０ｂから延出される。基端部分６２３の先端部分６２２寄りの一端部６２３ａは、テープ６３０によってトップシール６１０の上面６１０ａに固定される。また、基端部分６２３の先端部分６２２から離れた側の他端部６２３ｂは、テープ６４０によって上面６１０ａに固定される。また、ワイヤハーネスの幹線は、図示しないテープによって上面６１０ａに固定される。そして、このワイヤハーネス配索ユニット６０１によれば、ワイヤハーネス６２０がトップシール６１０に固定されているので、トップシール６１０を天井面に取り付けるのと同時に、ワイヤハーネス６２０を取り付けることができ、そのため、上述したように作業性を向上させて、作業コストを抑えることができた。
【０００６】
また、他の例として、図７に示す特許文献１のワイヤハーネス配索ユニット（図中、符号７０１で示す）は、ベース部材としてのルーフライニング７０８と、ワイヤハーネス７０９と、複数のハーネス係止具７１０と、複数の樹脂７１１と、を有している。ルーフライニング７０８は、車内の天井面に取り付けられる。ワイヤハーネス７０９は、支線７０９ａと、幹線７０９ｂと、を有している。支線７０９ａは、幹線７０９ｂから分岐され、その先端に外部の電装品に接続されるコネクタ７２０が設けられている。支線７０９ａの先端部分は、ルーフライニング７０８の外縁から延出される。複数のハーネス係止具７１０は、ワイヤハーネス７０９の屈曲位置及び分岐位置に当たる位置に設けられている。ワイヤハーネス７０９は、これら複数のハーネス係止具７１０によって係止されるとともに、樹脂７１１によって部分的にルーフライニング７０８に固定されている。そして、上記と同様に、このワイヤハーネス配索ユニット７０１によれば、作業性を向上させて、作業コストを抑えることができた。
【先行技術文献】
【特許文献】
【０００７】
【特許文献１】特開２０００−３３５３２９号公報
【発明の概要】
【発明が解決しようとする課題】
【０００８】
車内に配索されるワイヤハーネスは、熱などによってその長さが変動する場合があるため、その長さに所定の公差を設けて製造される。しかしながら、上述した各ワイヤハーネス配索ユニットのワイヤハーネスは、テープ又は樹脂によって各ベース部材に固定されているので、その位置を動かすことができず、そのため、例えば、支線が最小公差の長さであると、組み付け作業をする際に支線の延出長さが不足して、支線の先端のコネクタを外部の電装品に接続しづらくなり、また、支線が最大公差の長さであると、支線の延出長さが余り、支線が途中で湾曲して、支線を覆う装飾カバーなどを組み付けづらくなり、つまり、公差の影響によって作業性が悪くなる場合があるという問題があった。また、上述したワイヤハーネス配索ユニット７０１において、樹脂７１１を設けない構成にすることで、ワイヤハーネス７０９の位置を移動させて、支線７０９ａの延出長さを若干調整することができるが、支線７０９ａに加えてその分岐元の幹線７０９ｂも移動させることになり、この支線７０９ａ以外の他の支線等において、接続外れや断線などの不具合が生じる恐れがあるという別の問題があった。
【０００９】
本発明は、上記課題に係る問題を解決することを目的としている。即ち、本発明は、ベース部材の外縁から延出される部分の長さを不具合なく調整できるワイヤハーネス配索体、ワイヤハーネス配索ユニット、及び、ワイヤハーネス配索ユニットの組付方法を提供することを目的としている。
【課題を解決するための手段】
【００１０】
請求項１に記載された発明は、上記目的を達成するために、車体に取り付けられる板状のベース部材に配索されるワイヤハーネス配索体において、前記ベース部材の外縁から延出される先端部分と前記先端部分に連なり前記ベース部材に取り付けられる基端部分とを備えるワイヤハーネスと、前記先端部分をその弛みを解消する方向に移動可能なように、前記基端部分の前記先端部分寄りの一端部を前記ベース部材に保持する第１取付部材と、前記基端部分の前記一端部とは反対側の他端部を前記ベース部材に固定する第２取付部材と、を有し、そして、前記基端部分の前記第１取付部材と前記第２取付部材との間には、所定の長さの余長部分が設けられることを特徴とするワイヤハーネス配索体である。
【００１１】
請求項２に記載された発明は、請求項１に記載された発明において、前記第１取付部材が、前記ベース部材に固定されるとともに、内側に前記基端部分の一端部を挿通するように形成されたコルゲートチューブを備えていることを特徴とするものである。
【００１２】
請求項３に記載された発明は、請求項２に記載された発明において、前記コルゲートチューブの内径が、前記基端部分の一端部の外径と同一又は略同一にされていることを特徴とするものである。
【００１３】
請求項４に記載された発明は、請求項２又は３に記載された発明において、前記コルゲートチューブが、内側に前記基端部分の一端部と前記先端部分の一部又は全部とを挿通するように形成されるとともに、前記先端部分寄りの一方の端部が前記ベース部材の外縁から延出されることを特徴とするものである。
【００１４】
請求項５に記載された発明は、請求項１〜４のいずれか一項に記載された発明において、前記余長部分には、該余長部分の一部を折り曲げて束ねた結束部が設けられ、そして、前記第１取付部材及び前記第２取付部材は、前記基端部分の一端部の軸と前記基端部分の他端部の軸とが互いに異なる方向を向くようにして、それぞれ前記ベース部材に配置されることを特徴とするものである。
【００１５】
請求項６に記載された発明は、上記目的を達成するために、車体に取り付けられる板状のベース部材と、前記ベース部材に配索されるワイヤハーネス配索体と、を有するワイヤハーネス配索ユニットにおいて、前記ワイヤハーネス配索体として、請求項１〜５のいずれか一項に記載のワイヤハーネス配索体を有していることを特徴とするワイヤハーネス配索ユニットである。
【００１６】
請求項７に記載された発明は、上記目的を達成するために、（ａ）車体に取り付けられる板状のベース部材と、（ｂ）前記ベース部材の外縁から延出される先端部分と前記先端部分に連なり前記ベース部材に取り付けられる基端部分とを備えるワイヤハーネスと、前記先端部分をその弛みを解消する方向に移動可能なように、前記基端部分の前記先端部分寄りの一端部を前記ベース部材に保持する第１取付部材と、前記基端部分の前記一端部とは反対側の他端部を前記ベース部材に固定する第２取付部材と、を有し、前記基端部分の前記第１取付部材と前記第２取付部材との間には、所定の長さの余長部分が設けられるワイヤハーネス配索体と、を有するワイヤハーネス配索ユニットの組付方法であって、前記先端部分を前記ベース部材の外縁から引き出す方向に移動させて、前記余長部分を前記先端部分として引き出す第１工程と、前記先端部分を外部の電装品に接続する第２工程と、前記ベース部材を前記天井面に取り付ける第３工程と、前記先端部分を前記ベース部材の外縁に向けて押し込む方向に移動させて、前記先端部分の長さを調整する第４工程と、を順次有することを特徴とするワイヤハーネス配索ユニットの組付方法である。
【００１７】
請求項１、６に記載された発明によれば、第１取付部材が、ワイヤハーネスの先端部分をその弛みを解消する方向（即ち、先端部分をベース部材の外縁から引き出す方向、及び、先端部分をベース部材の外縁に向けて押し込む方向）に移動可能なように、基端部分の先端部分寄りの一端部をベース部材に保持し、また、第２取付部材が、基端部分の他端部をベース部材に固定し、また、基端部分の第１取付部材と第２取付部材との間に、所定の長さの余長部分が設けられるので、先端部分をベース部材の外縁から引き出す方向に移動させると、第１取付部材と第２取付部材との間の余長部分が先端部分として引き出され、また、先端部分をベース部材の外縁に向けて押し込む方向に移動させると、この移動した分の長さが余長部分として第１取付部材と第２取付部材との間に位置づけられる。そのため、余長部分の長さを第１取付部材と第２取付部材との間で調整して、先端部分の長さを伸縮させることができる。
【００１８】
請求項２に記載された発明によれば、第１取付部材が、ベース部材に固定されるとともに、内側に基端部分の一端部を挿通するように形成されたコルゲートチューブを備えているので、コルゲートチューブに基端部分の一端部が挿通されることで、該基端部分の一端部がベース部材に保持される。
【００１９】
請求項３に記載された発明によれば、コルゲートチューブの内径が、基端部分の一端部の外径と同一又は略同一にされているので、コルゲートチューブの内周面と基端部分の一端部の外周面とが互いに当接する。
【００２０】
請求項４に記載された発明によれば、コルゲートチューブが、内側に基端部分の一端部と先端部分の一部又は全部とを挿通するように形成されるとともに、コルゲートチューブの先端部分寄りの一方の端部が前記ベース部材の外縁から延出されるので、コルゲートチューブによって、先端部分の一部又は全部が覆われる。
【００２１】
請求項５に記載された発明によれば、余長部分には、該余長部分の一部を折り曲げて束ねた結束部が設けられ、そして、第１取付部材及び第２取付部材は、基端部分の一端部の軸と基端部分の他端部の軸とが互いに異なる方向を向くようにして、それぞれ前記ベース部材に配置されるので、この結束部により、余長部分がコンパクトにまとめられるとともに、第１取付部材及び第２取付部材の配置により、先端部分をベース部材の外縁に向けて押し込む方向に移動させたときに、所定の湾曲方向に向けて余長部分を撓ませる。
【００２２】
請求項７に記載された発明によれば、第１工程で、先端部分をベース部材の外縁から引き出す方向に移動させて、余長部分を先端部分として引き出す。次に、第２工程で、先端部分を外部の電装品に接続する。それから、第３工程で、ベース部材を天井面に取り付ける。そして、第４工程で、先端部分をベース部材の外縁に向けて押し込む方向に移動させて、先端部分の長さを調整する。
【発明の効果】
【００２３】
上記説明より、請求項１、６に記載された発明によれば、基端部分に設けられる余長部分の長さを第１取付部材と第２取付部材との間で調整して、先端部分の長さを伸縮させることができるので、先端部分、即ち、ベース部材の外縁から延出される部分の長さを調整でき、そのため、ワイヤハーネスの公差の影響による作業性の低下を防ぐことができるとともに、ワイヤハーネスの先端部分及び基端部分以外の他の部分における不具合を防ぐことができる。
【００２４】
請求項２に記載された発明によれば、コルゲートチューブに基端部分の一端部が挿通されることで、該基端部分の一端部がベース部材に保持されるので、コルゲートチューブという一般的で安価な部材を用いて、ワイヤハーネスの先端部分がその弛みを解消する方向に移動可能なように、基端部分の先端部分寄りの一端部をベース部材に保持することができ、そのため、コストを低減できる。
【００２５】
請求項３に記載された発明によれば、コルゲートチューブの内周面と基端部分の一端部の外周面とが互いに当接するので、基端部分がコルゲートチューブの内周面によってより強固に保持されるとともに、先端部分にその弛みを解消する方向に移動させる力が加えられたときには、コルゲートチューブの内周面と基端部分の一端部の外周面とが互いに摺動されて、先端部分の長さを調整できる。そのため、必要に応じて先端部分の長さを調整できるとともに、例えば、組立後に車両の振動などによる意図しない先端部分の移動（伸縮）を防止することができる。
【００２６】
請求項４に記載された発明によれば、コルゲートチューブによって、先端部分の一部又は全部が覆われるので、先端部分を衝撃等から保護することができる。
【００２７】
請求項５に記載された発明によれば、余長部分をコンパクトにまとめられ且つ余長部分を所定の湾曲方向に撓ませるので、余長部分を収容するためのスペースを小さくでき且つ該スペースの設計が容易にできる。
【００２８】
請求項７に記載された発明によれば、ワイヤハーネスの先端部分をベース部材の外縁から引き出す方向に移動させて、余長部分を先端部分として引き出し、次に、先端部分を外部の電装品に接続し、それから、ベース部材を天井面に取り付け、そして、先端部分をベース部材の外縁に向けて押し込む方向に移動させて、先端部分の長さを調整するので、組付工程において先端部分の長さを伸縮させてその長さを調整でき、そのため、ワイヤハーネスの公差の影響による作業性の低下を防ぐことができるとともに、ワイヤハーネスの先端部分及び基端部分以外の他の部分における不具合を防ぐことができる。
【図面の簡単な説明】
【００２９】
【図１】本発明のワイヤハーネス配索ユニットの一実施形態を示す部分上視図である。
【図２】図１のＩＩ−ＩＩ線に沿う断面図である。
【図３】図１のワイヤハーネス配索ユニットにおいて、ワイヤハーネスの先端部分の長さを伸ばした状態を説明する図である。
【図４】図１のワイヤハーネス配索ユニットにおいて、ワイヤハーネスの先端部分の長さを縮めた状態を説明する図である。
【図５】本発明のワイヤハーネス配索ユニットの他の実施形態を示す部分上視図である。
【図６】従来のワイヤハーネス配索ユニットを示す部分上視図である。
【図７】従来の他のワイヤハーネス配索ユニットを示す斜視図である。
【発明を実施するための形態】
【００３０】
以下、本発明のワイヤハーネス配索体及びワイヤハーネス配索ユニットの一実施形態を、図１〜図４を参照して説明する。
【００３１】
ワイヤハーネス配索ユニット（図中、符号１で示す）は、車体としての車内の天井面に配設されて該天井面を覆うことで車内を装飾するとともに、天井近傍に設けられた電装品へ給電するためのワイヤハーネスを配索するものである。
【００３２】
ワイヤハーネス配索ユニット１は、各図に示すように、ベース部材としての内装パネル１０と、ワイヤハーネス配索体５と、を有している。
【００３３】
内装パネル１０は、車内の天井面に取り付けられる部材である。内装パネル１０は、本体部１１と、壁部１２と、を備えている。
【００３４】
本体部１１は、天井面の形状に沿って略矩形板状に形成されている。本体部１１の車内側に向く下面には、例えば、合成繊維や天然繊維からなる編織物若しくは不織布、又は、本革調等の表面加工が施された合成樹脂などからなる図示しない意匠層が設けられている。この意匠層によって、車内を装飾して美観を高めている。また、本体部１１の天井面側に向く上面１１ａには、ワイヤハーネス配索体５が取り付けられている。
【００３５】
壁部１２は、本体部１１の車両前方に位置する外縁１１ｂ（即ち、内装パネル１０の外縁１１ｂ）に、上面１１ａ側に向けて立設されている。壁部１２には、後述するワイヤハーネス２０の外部接続端部２１が延出される箇所に、切り欠き部１３が設けられている。切り欠き部１３は、壁部１２の上端を切り欠いて平面視半円形に形成されており、外部接続端部２１が挿通される。本実施形態においては、壁部１２に切り欠き部１３を設けているが、これに代えて、壁部１２を平面視円形又は平面視矩形等に貫通して形成した穴部などを設けても良く、外部接続端部２１を挿通できれば、その形状は任意である。なお、本実施形態において、ベース部材として内装パネル１０を備えるものであったが、これに限らず、内装パネルと天井面との間に配設され、意匠層を備えずワイヤハーネスを天井面に取り付けることのみを目的とした板状の部材などをベース部材として用いても良い。
【００３６】
ワイヤハーネス配索体５は、ワイヤハーネス２０と、第１取付部材３０と、第２取付部材４０と、を備えている。
【００３７】
ワイヤハーネス２０は、複数の被覆電線Ｗが束ねられてなる部材である。ワイヤハーネス２０は、図示しない幹線と、該幹線に連なる又は該幹線から分岐された外部接続端部２１とを備えている。本発明のワイヤハーネス２０は、分岐がなく外部接続端部と幹線とが１本に連なるワイヤハーネスでも良く、又は、幹線から分岐された１又は複数の支線を備えたワイヤハーネスであっても良い。
【００３８】
外部接続端部２１の先端２１ａには、車内のフロントガラス上部に設けられる図示しない電装品ユニットに接続されるコネクタ２６が設けられている。この電装品ユニットには、電動ルームミラーやマップランプ、バニティランプなどが設けられている。外部接続端部２１の基端２１ｂは、図示しないワイヤハーネス２０の幹線に接続されている。外部接続端部２１の長さは、最大公差にさらに所定の長さの余長を加えた長さにされている。この余長は、ワイヤハーネス配索ユニット１の構成に応じて適宜定められる。外部接続端部２１は、先端部分２２と、基端部分２３と、を備えている。
【００３９】
先端部分２２は、内装パネル１０の壁部１２に設けられた切り欠き部１３から（即ち、内装パネル１０の外縁１１ｂから）延出されている。基端部分２３は、先端部分２２に連なり、内装パネル１０の本体部１１の上面１１ａ上に配索されている。また、基端部分２３には、所定の長さの余長からなる余長部分２４が設けられている。この余長部分２４には、その一部がＵ字状に折り曲げられて、互いに近接された箇所がテープ２５で固定されて束ねられた結束部２４ａが設けられている。このように、余長部分２４に結束部２４ａを設けることにより、余長部分２４をコンパクトにまとめることができる。本実施形態において、余長部分２４には、結束部２４ａが設けられているが、これに限らず、例えば、緩やかに湾曲されるなど、余長部分２４が設けられていれば、その配索形状は任意である。また、余長部分２４の結束部２４ａは、余長部分２４の一部が複数回折り曲げられて束ねられたものでもよい。先端部分２２と基端部分２３の先端部分２２寄りの一端部２３ａとは、ポリ塩化ビニル（ＰＶＣ）などからなる被覆部材２１ｃで覆われている。外部接続端部２１は、被覆部材２１ｃで覆われた部分に亘って、略同一の外径にされている。
【００４０】
第１取付部材３０は、基端部分２３の先端部分２２寄りの一端部２３ａを内装パネル１０の本体部１１の上面１１ａに取り付ける部材である。第１取付部材３０は、コルゲートチューブ３１と、テープ３２と、を備えている。
【００４１】
コルゲートチューブ３１は、合成樹脂などからなり、断面円形又は断面楕円形の筒状に且つ基端部分２３より短く形成された周知の電線保護部材である。コルゲートチューブ３１は、その内側に基端部分２３の一端部２３ａが挿通されている。つまり、コルゲートチューブ３１の内側に、基端部分２３の一端部２３ａが位置づけられている。コルゲートチューブ３１は、本体部１１の切り欠き部１３の近傍に、その軸方向が壁部１２と直交するように配置され、その一方の端部を切り欠き部１３と相対するようにして、テープ３２によって固定されている。コルゲートチューブ３１は、先端部分２２がその弛みを解消する方向（即ち、先端部分２２を内装パネル１０の外縁１１ｂから引き出す方向、及び、先端部分２２を内装パネル１０の外縁１１ｂに向けて押し込む方向）に移動可能なように、基端部分２３の一端部２３ａを本体部１１の上面１１ａに保持する。
【００４２】
コルゲートチューブ３１の内径（断面楕円形のときは短径）は、基端部分２３の一端部２３ａの外径（即ち、外部接続端部２１の被覆部材２１ｃで覆われた部分の外径）と同一又は略同一にされているのが望ましい。このようにすることで、コルゲートチューブ３１の内周面と基端部分２３の一端部２３ａの外周面とが互いに当接するので、基端部分２３がコルゲートチューブ３１の内周面全周（断面楕円形のときは短径方向に沿って相対する内周面の一部）によって狭持されてより強固に保持されるとともに、先端部分２２にその弛みを解消する方向に移動させる力が加えられたときには、コルゲートチューブ３１の内周面と基端部分２３の一端部２３ａの外周面とが互いに摺動されて、先端部分２２の長さを調整できる。そのため、必要に応じて先端部分２２の長さを調整できるとともに、例えば、組立後に車両の振動などによる意図しない先端部分２２の移動（伸縮）を防止することができる。
【００４３】
第２取付部材４０は、基端部分２３の一端部２３ａとは反対側の他端部２３ｂを内装パネル１０の本体部１１の上面１１ａに固定する部材である。第２取付部材４０は、第１取付部材３０と間隔をあけて配置されている。第２取付部材４０は、テープ４１を備えている。テープ４１は、基端部分２３の他端部２３ｂを本体部１１の上面１１ａに固定する。これにより、このテープ４１より幹線側に位置するワイヤハーネス２０の部分（即ち、先端部分２２と基端部分２３以外の他の部分）が、先端部分２２の移動の影響を受けて動くことがない。
【００４４】
また、本実施形態においては、基端部分２３の一端部２３ａの軸と基端部分２３の他端部２３ｂの軸とが互いに直交するように、第１取付部材３０と第２取付部材４０とが配置されている。例えば、一端部２３ａの軸と他端部２３ｂの軸とが同軸又は平行に配置されていると、先端部分２２が押し込まれて余長部分２４の長さが増した場合に、該余長部分２４が湾曲する方向が特定できないことがあり、そのため、余長部分２４を収容するためのスペースを多く設ける必要がある。しかし、本実施形態によれば、一端部２３ａの軸と他端部２３ｂの軸とが異なる方向に向けて配置されているので、余長部分２４を所定の湾曲方向（即ち、一端部２３ａの軸を延長した線と他端部２３ｂの軸を延長した線との交点側）に向けて撓ませることができ、そのため、上記スペースを小さく且つ容易に設計できる。このように、第１取付部材３０及び第２取付部材４０は、基端部分２３の一端部２３ａの軸と基端部分２３の他端部２３ｂの軸とが互いに異なる方向を向くようにして、それぞれ内装パネル１０に配置されることが望ましい。
【００４５】
基端部分２３における第１取付部材３０と第２取付部材４０との間（即ち、一端部２３ａと他端部２３ｂとの間）の部分には、余長部分２４が位置づけられて、弛みが設けられている。これにより、先端部分２２を内装パネル１０の外縁１１ｂから引き出す方向に移動させると、余長部分２４が先端部分２２として引き出され、また、先端部分２２を内装パネル１０の外縁１１ｂに向けて押し込む方向に移動させると、この移動した分の長さが余長部分２４として第１取付部材３０と第２取付部材４０との間に位置づけられる。そのため、余長部分２４の長さ（弛み）を第１取付部材３０と第２取付部材４０との間で調整して、先端部分２２の長さを伸縮させることができる。
【００４６】
次に、上述したワイヤハーネス配索体５及びワイヤハーネス配索ユニット１における本発明に係る作用の一例について、図を参照して説明する。
【００４７】
図１の状態において、外部接続端部２１の先端部分２２が短いとき、図３に示すように、先端部分２２を、内装パネル１０の外縁１１ｂから引き出す方向Ｘ１に移動させる。すると、基端部分２３の余長部分２４が第１取付部材３０に近づく方向Ｒ１に移動して余長が先端部分２２として引き出されて、先端部分２２の長さが伸びる。
【００４８】
また、図１の状態において、外部接続端部２１の先端部分２２が長いとき、図４に示すように、先端部分２２を、内装パネル１０の外縁１１ｂに押し込む方向Ｘ２に移動させる。すると、先端部分２２の移動された分の長さが、基端部分２３に移動して余長部分２４として第１取付部材と第２取付部材４０との間に位置づけられて、余長部分２４が第２取付部材４０に近づく方向Ｒ２に移動して、先端部分２２の長さが縮む。
【００４９】
また、テープ４１によって、外部接続端部２１の基端２１ｂが内装パネル１０に固定されているので、図示しないワイヤハーネス２０の幹線が、これら先端部分２２の伸縮の影響を受けて移動することがない。
【００５０】
次に、上述したワイヤハーネス配索ユニット１の車内の天井面への組付方法の一例を説明する。
【００５１】
ワイヤハーネス配索ユニット１において、予め基端部分２３の余長部分２４を先端部分２２として引き出しておく（第１工程）。次に、外部接続端部２１の先端２１ａに設けられたコネクタ２６を、車内のフロントガラス上部に設けられた電装品ユニットに接続する（第２工程）。それから、内装パネル１０を車内の天井面に取り付ける（第３工程）。そして、先端部分２２を内装パネル１０の外縁１１ｂに向けて押し込む方向に移動させて先端部分２２の長さを調節する（第４工程）。このようにして、ワイヤハーネス配索ユニット１は組み付けられる。
【００５２】
このように、組付工程において先端部分２２の長さを伸縮させてその長さを調整できるので、ワイヤハーネス２０の公差の影響による作業性の低下を防ぐことができるとともに、ワイヤハーネス２０の外部接続端部２１以外（即ち、先端部分２２及び基端部分２３以外）の他の部分における不具合を防ぐことができる。
【００５３】
また、この組付方法以外にも、例えば、上述した組付方法において、先に内装パネル１０を車内の天井面に取り付け、そのあとに、コネクタ２６を電装品ユニットに接続して、先端部分の長さを調整しても良く、又は、予め基端部分２３に十分な余長部分２４を設け、そして、内装パネル１０を車内の天井面に取り付けたのち、先端部分２２をその弛みを解消する方向に移動させて長さを調節しながらコネクタ２６を電装品ユニットに接続する方法などでもよい。これら組付方法においても、上記と同様の効果を奏する。
【００５４】
本実施形態によれば、第１取付部材３０が、先端部分２２をその弛みを解消する方向（即ち、先端部分２２を内装パネル１０の外縁１１ｂから引き出す方向、及び、先端部分２２を内装パネル１０の外縁１１ｂに向けて押し込む方向）に移動可能なように、基端部分２３の先端部分２２寄りの一端部２３ａを内装パネル１０に保持し、また、第２取付部材４０が、基端部分２３の他端部２３ｂを内装パネル１０に固定し、また、基端部分２３の第１取付部材３０と第２取付部材４０との間には、所定の長さの余長部分２４が設けられるので、先端部分２２を内装パネル１０の外縁１１ｂから引き出す方向に移動させると、第１取付部材３０と第２取付部材４０との間の余長部分２４が先端部分２２として引き出され、また、先端部分２２を内装パネル１０の外縁１１ｂに向けて押し込む方向に移動させると、この移動した分の長さが余長部分２４として第１取付部材３０と第２取付部材４０との間に位置づけられる。そのため、余長部分２４の長さを第１取付部材３０と第２取付部材４０との間で調整して、先端部分２２の長さを伸縮させることができる。
【００５５】
また、第１取付部材３０が、内装パネル１０の本体部１１の上面１１ａに固定されるとともに、内側に基端部分２３の一端部２３ａを挿通するように形成されたコルゲートチューブ３１を備えているので、コルゲートチューブ３１に基端部分２３の一端部２３ａが挿通されることで、該基端部分２３の一端部２３ａが内装パネル１０に保持される。
【００５６】
また、余長部分２４には、該余長部分２４の一部を折り曲げて束ねた結束部２４ａが設けられ、そして、第１取付部材３０及び第２取付部材４０は、基端部分２３の一端部２３ａの軸と基端部分２３の他端部２３ａの軸とが互いに直交するようにして、それぞれ内装パネル１０に配置されるので、この結束部２４ａにより、余長部分２４がコンパクトにまとめられるとともに、第１取付部材３０及び第２取付部材４０の配置により、先端部分２２を内装パネル１０の外縁１１ｂに向けて押し込む方向に移動させたときに、所定の湾曲方向に向けて余長部分２４を撓ませる。
【００５７】
以上より、本発明によれば、余長部分２４の長さを第１取付部材３０と第２取付部材４０との間で調整して、先端部分２２の長さを伸縮させることができるので、外部接続端部２１において先端部分２２の長さを調整でき、そのため、ワイヤハーネス２０の公差の影響による作業性の低下を防ぐことができるとともに、ワイヤハーネス２０の外部接続端部２１以外の他の部分における不具合を防ぐことができる。
【００５８】
また、コルゲートチューブ３１に基端部分２３の一端部２３ａが挿通されることで、該基端部分２３の一端部２３ａが内装パネル１０に保持されるので、コルゲートチューブ３１という一般的で安価な部材を用いて、ワイヤハーネス２０の先端部分２２がその弛みを解消する方向に移動可能なように、基端部分２３の一端部２３ａを内装パネル１０に保持することができ、そのため、コストを低減できる。
【００５９】
また、余長部分２４をコンパクトにまとめられ且つ余長部分２４を所定の湾曲方向に撓ませるので、余長部分２４を収容するためのスペースを小さくでき且つ該スペースの設計が容易にできる。
【００６０】
上述した実施形態によれば、コルゲートチューブ３１が、本体部１１の上面１１ａに収まるように設けられていたが、これに限定されるものではない。図１のコルゲートチューブ３１に代えて、一部が内装パネル１０の外縁１１ｂから延出される長尺のコルゲートチューブを用いても良い。このようなコルゲートチューブを用いた構成のワイヤハーネス配索ユニット２を、図５に示す。
【００６１】
図５に示すワイヤハーネス配索ユニット２は、上述したワイヤハーネス配索ユニット１において、コルゲートチューブ３１に代えて、長尺のコルゲートチューブ３３を備えている。なお、コルゲートチューブ３３以外の構成部材は、上述した実施形態の構成部材と同一であるため、図５において、同一符号を付してその説明を省略する。
【００６２】
コルゲートチューブ３３は、合成樹脂などからなり、断面円形又は断面楕円形の筒状に且つ外部接続端部２１より短く形成された周知の電線保護部材である。コルゲートチューブ３３は、その内側に基端部分２３の一端部２３ａと先端部分２２の一部又は全部とが挿通されている。つまり、コルゲートチューブ３１の内側に、基端部分２３の一端部２３ａと先端部分２２の一部又は全部とが位置づけられている。また、コルゲートチューブ３３の先端部分２２寄りの一方の端部３３ａは、壁部１２に設けられた切り欠き部１３を通じて、内装パネル１０の外縁１１ｂから延出されている。コルゲートチューブ３３の他方の端部３３ｂは、本体部１１の切り欠き部１３近傍に、その軸方向が壁部１２と直交するように配置され、テープ３２によって本体部１１の上面１１ａに固定されている。
【００６３】
コルゲートチューブ３３は、先端部分２２がその弛みを解消する方向（即ち、先端部分２２を内装パネル１０の外縁１１ｂから引き出す方向、及び、先端部分２２を内装パネル１０の外縁１１ｂに向けて押し込む方向）に移動可能なように、基端部分２３の先端部分２２寄りの一端部２３ａを本体部１１の上面１１ａに保持する。さらに、コルゲートチューブ３３は、内装パネル１０の外縁１１ｂから延出された先端部分２２の一部又は全部を覆う。
【００６４】
このように、ワイヤハーネス配索ユニット２によれば、コルゲートチューブ３３によって、内装パネル１０の外縁１１ｂから延出される先端部分２２の一部又は全部が覆われるので、先端部分２２を衝撃等から保護することができる。また、コルゲートチューブ３３の内径（断面楕円形のときは短径）が、その内側に挿通される外部接続端部２１の被覆部材２１ｃで覆われた部分の外径と同一又は略同一になるように形成されていてもよい。このようにすることで、外部接続端部２１をより強固に保持できる。
【００６５】
また、上述したワイヤハーネス配索ユニット２において、壁部１２の切り欠き部１３をコルゲートチューブ３３の外形に沿う形状にしても良い。このようにすることで、コルゲートチューブ３３が、切り欠き部１３に嵌め込まれて、その一方の端部３３ａが内装パネル１０の外縁１１ｂから延出されるので、コルゲートチューブ３３が壁部１２によって支持されて、コルゲートチューブ３３を、より強固に内装パネル１０に固定することができる。
【００６６】
また、上述した実施形態において、第１取付部材３０は、コルゲートチューブ３１を備えるものであったが、これに限らず、例えば、コルゲートチューブ３１に代えて、基端部分２３の一端部２３ａが内側に挿通される半円筒状の保持部を有するクランプ等の保持部材を備えるなど、先端部分２２がその弛みを解消する方向に移動可能なように、基端部分２３の一端部２３ａを内装パネル１０に保持するものであれば、第１取付部材３０の構成は任意である。
【００６７】
また、上述した実施形態において、各ワイヤハーネス配索ユニット１は、ベース部材としての車内の天井面に取り付けられる内装パネル１０を備えていたが、これに限らず、ベース部材として、例えば、ドア内面やエンジンルームなど、車体に取り付けられる板状のベース部材を備えるものであれば、任意のもので良い。
【００６８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６９】
１、２    ワイヤハーネス配索ユニット
５        ワイヤハーネス配索体
１０      内装パネル（ベース部材）
１１ｂ    外縁
１３      切り欠き部
２０      ワイヤハーネス
２１      外部接続端部
２２      先端部分
２３      基端部分
２４      余長部分
２４ａ    結束部
３０      第１取付部材
３１、３３  コルゲートチューブ
４０      第２取付部材
【図１】
2010273477.tif 000003
【図２】
2010273477.tif 000004
【図３】
2010273477.tif 000005
【図４】
2010273477.tif 000006
【図５】
2010273477.tif 000007
【図６】
2010273477.tif 000008
【図７】
2010273477.tif 000009